(57)【要約】【課題】使用状況に伴うシステム全体の省電力化を図り得るサーバ装置を提供する。【解決手段】登録代理サーバ１において、サーバ状態管理テーブル、サーバコンフィグ情報テーブル及びサーバコンフィグ設定データテーブルを参照し、サーバ状態管理テーブル及びサーバコンフィグ情報テーブルの登録項目となるＩＰ電話サーバへの端末登録数、ＳＴＢ端末登録数、ＩＰ電話サーバの呼量、パケット送受信量をチェックすることで、省電力モードに変更するべくＩＰ電話サーバを効率良く決定できるようにした。【選択図】      図１１
2011234309.tif 000002
【特許請求の範囲】
【請求項１】
複数のＩＰ(Internet Protocol)電話端末が登録されかつ通常モードと省電力モードを有する複数のＩＰ電話サーバを接続する接続手段と、
前記ＩＰ電話端末にて登録要求操作がなされた場合に、登録する任意のＩＰ電話サーバを決定して登録を行わせる登録制御手段と、
前記複数のＩＰ電話端末及び複数のＩＰ電話サーバそれぞれの動作状態を監視する監視手段と、
前記監視手段による監視結果に基づいて、前記複数のＩＰ電話サーバのうちの少なくとも一部のＩＰ電話サーバの動作モードを変更する変更制御手段とを具備したことを特徴とする登録管理サーバ装置。
【請求項２】
前記変更制御手段は、複数のＩＰ電話端末が登録される第１のＩＰ電話サーバを省電力モードに変更する場合に、前記登録制御手段により前記第１のＩＰ電話サーバに登録された複数のＩＰ電話端末に対し変更の通知を行い、この通知に対し登録要求操作がなされたＩＰ電話端末の登録先を前記第１のＩＰ電話サーバから当該第１のＩＰ電話サーバとは異なる第２のＩＰ電話サーバへ動的に変更し、空きとなった第１のＩＰ電話サーバを通常モードから省電力モードへ動的に変更することを特徴とする登録管理サーバ装置。
【請求項３】
前記監視手段は、前記ＩＰ電話サーバに登録されたＩＰ電話端末の登録数、省電力モードのＩＰ電話端末の数、前記ＩＰ電話サーバの呼量、前記ＩＰ電話サーバのパケット処理量、前記ＩＰ電話サーバの消費電力量の少なくとも１つを監視することを特徴とする請求項１記載の登録管理サーバ装置。
【請求項４】
さらに、前記ＩＰ電話サーバを識別するサーバ識別情報と、現在の動作モードと、前記ＩＰ電話サーバに登録されたＩＰ電話端末の登録数と、前記ＩＰ電話サーバの呼量と、前記ＩＰ電話サーバのパケット処理量と、前記ＩＰ電話サーバの消費電力量とを対応付けた管理テーブルを記憶する記憶手段を備え、
前記監視手段は、前記管理テーブルを参照し、この参照結果に基づいて、前記複数のＩＰ電話端末及び複数のＩＰ電話サーバそれぞれの動作状態を監視し、
前記変更制御手段は、前記ＩＰ電話端末の登録先を前記第１のＩＰ電話サーバから前記第２のＩＰ電話サーバへ動的に変更し、空きとなった第１のＩＰ電話サーバを通常モードから省電力モードへ動的に変更した後、前記管理テーブルの記憶内容を更新することを特徴とする請求項３記載の登録管理サーバ装置。
【請求項５】
前記登録制御手段は、前記ＩＰ電話端末にて登録要求操作がなされた場合に、前記記憶手段に記憶された管理テーブルを参照し、この参照結果に基づいて、登録する任意の第１のＩＰ電話サーバを決定して登録を行わせることを特徴とする請求項４記載の登録管理サーバ装置。
【請求項６】
前記監視手段は、前記ＩＰ電話端末及び前記ＩＰ電話サーバの状態の公開、更新、通知が可能な状態管理サーバと接続するためのインタフェースを備え、
前記変更制御手段は、前記インタフェースを通じて前記状態管理サーバとの間で通信される情報に基づいて、前記第１のＩＰ電話サーバを省電力モードに変更する場合に、前記登録制御手段により前記第１のＩＰ電話サーバに登録された複数のＩＰ電話端末に対し変更の通知を行い、この通知に対し登録要求操作がなされたＩＰ電話端末の登録先を前記第１のＩＰ電話サーバから当該第１のＩＰ電話サーバとは異なる第２のＩＰ電話サーバへ動的に変更し、空きとなった第１のＩＰ電話サーバを通常モードから省電力モードへ動的に変更することを特徴とする請求項２記載の登録管理サーバ装置。
【請求項７】
前記変更制御手段は、前記監視手段による監視結果に基づいて、省電力モードに変更された第１のＩＰ電話サーバを通常モードに変更するとともに、前記第２のＩＰ電話サーバに登録された複数のＩＰ電話端末に対し変更の通知を行い、この通知に対し登録要求操作がなされたＩＰ電話端末の登録先を前記第２のＩＰ電話サーバから第１のＩＰ電話サーバへ動的に変更することを特徴とする請求項２記載の登録管理サーバ装置。
【請求項８】
複数のＩＰ(Internet Protocol)電話端末が登録されかつ通常モードと省電力モードを有する複数のＩＰ電話サーバと、
これら複数のＩＰ電話サーバに対し通信ネットワークを介して接続される登録管理サーバ装置とを具備し、
前記登録管理サーバ装置は、
前記ＩＰ電話端末にて登録要求操作がなされた場合に、登録する任意のＩＰ電話サーバを決定して登録を行わせる登録制御手段と、
前記複数のＩＰ電話端末及び複数のＩＰ電話サーバそれぞれの動作状態を監視する監視手段と、
前記監視手段による監視結果に基づいて、前記複数のＩＰ電話サーバのうちの少なくとも一部のＩＰ電話サーバの動作モードを変更する変更制御手段とを備えたことを特徴とする通信システム。
【請求項９】
複数のＩＰ(Internet Protocol)電話端末が登録されかつ通常モードと省電力モードを有する複数のＩＰ電話サーバを接続する登録管理サーバ装置で使用される動作モード変更方法において、
前記ＩＰ電話端末にて登録要求操作がなされた場合に、登録する任意の第１のＩＰ電話サーバを決定して登録を行わせ、
前記複数のＩＰ電話端末及び複数のＩＰ電話サーバそれぞれの動作状態を監視し、
前記監視結果に基づいて、前記第１のＩＰ電話サーバを省電力モードに変更する場合に、前記登録制御手段により前記第１のＩＰ電話サーバに登録された複数のＩＰ電話端末に対し変更の通知を行い、この通知に対し登録要求操作がなされたＩＰ電話端末の登録先を前記第１のＩＰ電話サーバから当該第１のＩＰ電話サーバとは異なる第２のＩＰ電話サーバへ動的に変更し、
空きとなった第１のＩＰ電話サーバを通常モードから省電力モードへ動的に変更することを特徴とする動作モード変更方法。
【発明の詳細な説明】
【技術分野】
【０００１】
本発明の実施形態は、例えばＩＰ電話システムにおいて、各通信機器の動作モードを省電力モードに変更できるようにした登録管理サーバ装置、通信システム及び動作モード変更方法に関する。
【背景技術】
【０００２】
近年、ＩＰ（Internet Protocol）網を介して、双方向に画像や音声をパケットデータとして、リアルタイムに送受信するＩＰ電話システムが普及し始めている。このＩＰ電話システムでは、ＩＰ網に接続されるＩＰ電話サーバごとに内線間通信や外線発着信を行えることは勿論のこと、ＩＰ網を経由したＩＰ電話サーバ間での内線通信や外線発着信を行うことができる。
【０００３】
この種のシステムでは、ＩＰ端末をＩＰ網上の各ＩＰ電話サーバに予め登録しておき、ＩＰ端末にてＩＰ網を使用して通話を行う際に、上記ＩＰ電話サーバがＩＰ端末の認証を行うようにしている。
【０００４】
ところで、複数のＩＰ電話サーバで構成されるＩＰ電話システムでは、時間帯、日時などにより利用者が少ない場合においても、全てのサーバが稼動しており、無駄に電力を消費していることになる。
【０００５】
なお、この種に関連する従来技術として、クライアントとサーバと管理装置からなる情報システムにおいて、管理装置にてクライアントとサーバ間で通信が行われているか否かを監視し、通信が行なわれていない場合に、サーバの動作モードを省電力モードに切り替えるように指示する動作モード切替要求をサーバに送信する情報システムが提案されている。また、関連する従来技術として、ＩＰ電話端末の動作モードを通常モードから省電力モードへ動的に変更するサーバ装置が提案されている。さらに、関連する従来技術として、夜間に網側の処理を集約して運用コストを下げるシステムも提案されている。
【先行技術文献】
【特許文献】
【０００６】
【特許文献１】特開２００８−３０５２５７号公報
【特許文献２】特開２００５−３３３４１０号公報
【特許文献３】特開平０２−０４８７５５号公報
【発明の概要】
【発明が解決しようとする課題】
【０００７】
しかし、複数のＩＰ電話サーバで構成されるＩＰ電話システムにおいては、使用状況に応じて、システム全体としての省電力化を図ることについての実現手段が未だ開発されていない。
【０００８】
そこで、本発明の目的は、使用状況に伴うシステム全体の省電力化を図り得るサーバ装置、通信システム及び動作モード変更方法を提供することにある。
【課題を解決するための手段】
【０００９】
上記目的を達成するために、本実施形態に従う登録管理サーバ装置は、複数のＩＰ(Internet Protocol)電話端末が登録されかつ通常モードと省電力モードを有する複数のＩＰ電話サーバを接続する接続手段と、ＩＰ電話端末にて登録要求操作がなされた場合に、登録する任意のＩＰ電話サーバを決定して登録を行わせる登録制御手段と、複数のＩＰ電話端末及び複数のＩＰ電話サーバそれぞれの動作状態を監視する監視手段と、監視手段による監視結果に基づいて、複数のＩＰ電話サーバのうちの少なくとも一部のＩＰ電話サーバの動作モードを変更する変更制御手段とを備えるようにしたものである。
【図面の簡単な説明】
【００１０】
【図１】本第１の実施形態に係わるＩＰ電話システムの構成を示す概略構成図。
【図２】上記図１に示した登録代理サーバ、プレゼンスサーバ、ＩＰ電話サーバ及びＩＰ電話端末の機能構成を示すブロック図。
【図３】上記図２に示した端末登録状態管理テーブルの記憶内容の一例を示す図。
【図４】上記図２に示したサーバ状態管理テーブルの記憶内容の一例を示す図。
【図５】上記図２に示したサーバコンフィグ情報テーブルの記憶内容の一例を示す図。
【図６】上記図２に示したサーバコンフィグ設定データテーブルの記憶内容の一例を示す図。
【図７】上記図２に示した状態管理テーブルの記憶内容の一例を示す図。
【図８】同第１の実施形態において、ＩＰ電話端末とＩＰ電話サーバとの間で登録処理を行う動作を示すシーケンス図。
【図９】同第１の実施形態において、ＩＰ電話端末とＩＰ電話サーバとの間で登録処理を行う際の登録代理サーバの制御処理手順を示すフローチャート。
【図１０】同第１の実施形態において、ＩＰ電話端末に対しＩＰ電話サーバへの登録先変更処理を行う動作を示すシーケンス図。
【図１１】同第１の実施形態において、登録先変更処理を行う際における登録代理サーバの省電力モード移行制御手順を示すフローチャート。
【図１２】本第２の実施形態として、ＩＰ電話端末に対しＩＰ電話サーバへの登録先変更処理を行う動作を示すシーケンス図。
【図１３】同第２の実施形態において、登録先変更処理を行う際における登録代理サーバの通常モード移行制御手順を示すフローチャート。
【発明を実施するための形態】
【００１１】
以下、本実施形態について図面を参照して詳細に説明する。  
（第１の実施形態）  
図１は、第１の実施形態に係わるＩＰ電話システムの構成を示す概略構成図である。
【００１２】
ＩＰネットワークＩＮＷには、さらにＩＰ電話サーバＳＶ１〜ＳＶＮ（Ｎは自然数）及びＩＰ電話端末ＥＰ１〜ＥＰＭ（Ｍは自然数）が接続されている。上記ＩＰ電話サーバＳＶ１〜ＳＶＮは、ＩＰネットワークＩＮＷを介して登録対象となるＩＰ電話端末ＥＰ１〜ＥＰＭとの間の交換制御機能を有する。
【００１３】
さらに、ＩＰネットワークＩＮＷには、ＩＰ電話端末ＥＰ１〜ＥＰＭからＩＰ電話サーバＳＶ１〜ＳＶＮへの端末の登録を代理する登録代理サーバ１と、状態管理サーバとしてのプレゼンスサーバ２が接続されている。
【００１４】
上記プレゼンスサーバ２は、ＩＰネットワークＩＮＷ上のＩＰ電話端末ＥＰ１〜ＥＰＭの端末状態の管理を行うものである。
【００１５】
図２は、登録代理サーバ１、プレゼンスサーバ２、ＩＰ電話サーバＳＶ１〜ＳＶＮ及びＩＰ電話端末ＥＰ１〜ＥＰＭの機能構成を示している。なお、ここでは、ＩＰ電話サーバＳＶ１及びＩＰ電話端末ＥＰ１を代表して説明する。
【００１６】
登録代理サーバ１は、登録制御手段としての登録メッセージ解析機能１１と、ＩＰ電話サーバＳＶ１〜ＳＶＮを接続する接続機能１１１と、監視手段としてのプレゼンス情報監視機能１２と、登録状況管理機能１３と、サーバ動作モード制御機能１４と、登録先選択／変更機能１５と、端末登録状況管理テーブル１６と、サーバ状態管理テーブル１７と、サーバコンフィグ情報テーブル１８と、サーバコンフィグ設定データテーブル１９とを備えている。なお、登録状況管理機能１３、サーバ動作モード制御機能１４及び登録先選択／変更機能１５は、変更制御手段を構成する。
【００１７】
端末登録状況管理テーブル１６は、ＩＰ電話サーバＳＶ１〜ＳＶＮとＩＰ電話端末ＥＰ１〜ＥＰＭとの間の登録関係を対応付けたもので、図３に示すように、ＩＰ電話端末ＥＰ１〜ＥＰＭを識別するためのエンドポイント識別（ＵＲＩ）と、登録先のＩＰ電話サーバＳＶ１〜ＳＶＮのアドレスと、プレゼンス状態と、動作状態との対応関係を表すデータが記憶されている。
【００１８】
サーバ状態管理テーブル１７は、各ＩＰ電話サーバＳＶ１〜ＳＶＮの状態を記憶したもので、図４に示すように、ＩＰ電話サーバＳＶ１〜ＳＶＮのアドレスと、現在の動作モードと、登録されているＩＰ電話端末ＥＰ１〜ＥＰＭの台数と、登録されているＩＰ電話端末ＥＰ１〜ＥＰＭのうちＳＴＢ(Set Top Box)を使用している端末の台数と、ＩＰ電話サーバＳＶ１〜ＳＶＮの呼量と、ＩＰ電話サーバＳＶ１〜ＳＶＮのパケット送受信量と、ＩＰ電話サーバＳＶ１〜ＳＶＮの消費電力量との対応関係を表すデータが記憶されている。ここで、呼量は、単位時間ごとにＩＰ電話サーバに登録される複数のＩＰ電話端末間で通信パスが確立された回数を示す値である。パケットの送受信量は、単位時間ごとにＩＰ電話サーバに登録される複数のＩＰ電話端末間で送受信されるＲＴＰパケット数を示す値である。なお、ＳＴＢは、アナログ電話機またはデジタル電話機をＩＰ電話端末としてＩＰ電話サーバＳＶ１〜ＳＶＮに登録する際に使用されるものである。
【００１９】
サーバコンフィグ情報テーブル１８は、各ＩＰ電話サーバＳＶ１〜ＳＶＮに割り当てられる優先順位と各ＩＰ電話サーバＳＶ１〜ＳＶＮで使用可能な電力量とを対応付けて管理するためのテーブルであり、図５に示すように、ＩＰ電話サーバＳＶ１〜ＳＶＮのアドレスと、優先順位（Priority）と、設定ＩＤと、最小電力量と、最大電力量との対応関係を表すデータが記憶されている。ここで、優先順位は、通常モードに設定する順位を示すものであり、例えば保守者により任意に設定されるものである。設定ＩＤは、詳細を後述するが、設定するべく各ＩＰ電話サーバＳＶ１〜ＳＶＮの処理能力を識別するための識別情報である。また、設定ＩＤは、保守者により任意に設定可能な識別情報である。最小電力量は、各ＩＰ電話サーバＳＶ１〜ＳＶＮにおいて必要とする最小の電力量を示すものであり、例えば登録解除するＩＰ電話端末の台数を制限するために決められた電力量である。さらに、最大電力量は、各ＩＰ電話サーバＳＶ１〜ＳＶＮにおいて必要とする最大の電力量を示すものであり、例えば登録するＩＰ電話端末の台数を制限するために決められた電力量である。これら最小電力量及び最大電力量は、各ＩＰ電話サーバＳＶ１〜ＳＶＮの設置環境に応じて保守者により任意に登録される量である。
【００２０】
サーバコンフィグ設定データテーブル１９は、上記サーバコンフィグ情報テーブル１８に登録される設定ＩＤを管理するためのテーブルであり、図６に示すように、上記サーバコンフィグ情報テーブル１８に設定登録される設置ＩＤと、登録可能な最小端末数と、登録可能な最大端末数と、最大ＳＴＢ端末数と、最小呼量と、最大呼量と、最小パケット送受信量と、最大パケット送受信量との対応関係を表すデータが記憶されている。
【００２１】
登録メッセージ解析機能１１は、ＩＰ電話端末ＥＰ１〜ＥＰＭから受信した登録要求メッセージを解析する。
【００２２】
プレゼンス情報監視機能１２は、プレゼンスサーバ２との間でインタフェース処理を行うもので、プレゼンスサーバ２との通信によりＩＰ電話端末ＥＰ１〜ＥＰＭの端末状態に関する情報を取得し、端末登録状況管理テーブル１６、サーバ状態管理テーブル１７及びサーバコンフィグ情報テーブル１８を更新する。
【００２３】
登録状況管理機能１３は、登録状況管理テーブル１６を参照し、この参照結果をもとにＩＰ電話端末ＥＰ１〜ＥＰＭの登録状態を管理するものである。サーバ動作モード制御機能１４は、サーバ状態管理テーブル１７を参照し、この参照結果をもとに例えばＩＰ電話サーバＳＶ２の登録端末数が４となった場合に、ＩＰ電話サーバＳＶ２を省電力モードに変更することを決定し、ＩＰ電話サーバＳＶ２に対し省電力モードにするべく状態変更要求を送信する。
【００２４】
登録先選択／変更機能１５は、登録メッセージ解析機能１１により例えばＩＰ電話端末ＥＰ１から送られた登録要求メッセージが解析された場合に、サーバコンフィグ情報テーブル１８を参照して優先順位が最小のＩＰ電話サーバＳＶ１を決定し、さらにＩＰ電話サーバＳＶ１についてサーバ状態管理テーブル１７を参照し、この参照結果からＩＰ電話サーバＳＶ１の動作モードが「通常モード」である場合に、例えば要求元のＩＰ電話端末ＥＰ１をＩＰ電話サーバＳＶ１に対応付けて登録状況管理テーブル１６に登録し、ＩＰ電話サーバＳＶ１に登録要求を送信してＩＰ電話端末ＥＰ１を登録させる。
【００２５】
また、登録先選択／変更機能１５は、例えばＩＰ電話端末ＥＰ１の登録先となるＩＰ電話サーバＳＶ１が「省電力モード」に変更した場合に、サーバコンフィグ情報テーブル１８を参照して優先順位が次順位のＩＰ電話サーバＳＶ２を決定し、さらにＩＰ電話サーバＳＶ２についてサーバ状態管理テーブル１７を参照し、この参照結果からＩＰ電話サーバＳＶ２の動作モードが「通常モード」である場合に、例えば要求元のＩＰ電話端末ＥＰ１をＩＰ電話サーバＳＶ２に対応付けて登録状況管理テーブル１６に登録し、ＩＰ電話サーバＳＶ２に登録要求を送信してＩＰ電話端末ＥＰ１を登録させる。
【００２６】
プレゼンスサーバ２は、プレゼンス情報管理機能２１と、状態変更通知機能２２と、状態変更機能２３と、状態管理テーブル２４とを備えている。
【００２７】
状態管理テーブル２４は、各ＩＰ電話サーバＳＶ１〜ＳＶＮ及び各ＩＰ電話端末ＥＰ１〜ＥＰＭの状態を記憶したもので、図７に示すように、ＩＰ電話端末ＥＰ１〜ＥＰＭを識別するためのエンドポイント識別（ＵＲＩ）及びＩＰ電話サーバＳＶ１〜ＳＶＮのアドレスと、プレゼンス状態と、動作状態との対応関係を表すデータが記憶されている。
【００２８】
プレゼンス情報管理機能２１は、状態管理テーブル２４を常に監視する。状態変更通知機能２２は、状態管理テーブル２４に登録管理されているＩＰ電話端末ＥＰ１〜ＥＰＭ及びＩＰ電話サーバＳＶ１〜ＳＶＮのプレゼンス状態及び動作状態が変更された場合に、その変更の旨のメッセージを登録代理サーバ１に通知する。
【００２９】
状態変更機能２３は、ＩＰ電話端末ＥＰ１〜ＥＰＭ及びＩＰ電話サーバＳＶ１〜ＳＶＮのプレゼンス状態及び動作状態を監視し、万一ＩＰ電話端末ＥＰ１〜ＥＰＭ及びＩＰ電話サーバＳＶ１〜ＳＶＮが動作異常を起こした場合に、状態管理テーブル２４中の例えば動作異常を起こしたＩＰ電話端末ＥＰ３に対応する動作状態を「正常」から「異常」に変更する。
【００３０】
ＩＰ電話サーバＳＶ１は、プロトコル制御機能３１と、登録機能３２と、セッション制御機能３３と、呼制御機能３４と、場所情報管理機能３５と、動作モード変更機能３６と、登録情報管理テーブル３７と、場所情報管理テーブル３８と、パケット送受信・呼量測定機能３９とを備えている。
【００３１】
プロトコル制御機能３１は、例えば登録されるＩＰ電話端末ＥＰ１〜ＥＰＭがＳＩＰに対応する場合に、ＳＩＰに従ってＩＰ電話端末ＥＰ１〜ＥＰＭとの間で登録を行うためのメッセージの送受信を行い、またＩＰ電話端末ＥＰ１〜ＥＰＭとの間でセッションを確立するためのメッセージの送受信を行う。登録機能３２は、登録要求のあったＩＰ電話端末ＥＰ１を登録情報管理テーブル３７に登録する。
【００３２】
セッション制御機能３３は、登録されたＩＰ電話端末ＥＰ１との間にセッションを確立し、応答信号等の通信を行なう。
【００３３】
呼制御機能３４は、登録されたＩＰ電話端末ＥＰ１との間で呼接続処理を実行する。
【００３４】
場所情報管理機能３５は、登録されたＩＰ電話端末ＥＰ１〜ＥＰＭに予め割り当ててある端末識別情報としての電話番号と、固定ネットワークアドレスとしてのＭＡＣ（Media Access Control）と、可変ネットワークアドレスとしてのＩＰアドレスとを対応付けて場所情報管理テーブル３８に登録し管理するものである。
【００３５】
動作モード変更機能３６は、登録代理サーバ１からのモード変更指示に応じて通常モード／省電力モードの変更を行う。
【００３６】
パケット送受信・呼量測定機能３９は、登録されたＩＰ電話端末ＥＰ１〜ＥＰＭとの間で送受信されるパケット量と、登録されたＩＰ電話端末ＥＰ１〜ＥＰＭ間でセッションが確立された回数となる呼量とを測定する。
【００３７】
ＩＰ電話端末ＥＰ１は、メディア通信機能４１と、プレゼンス通知機能４２と、動作モード変更機能４３と，メディアＩ／Ｏ４４とを備えている。
【００３８】
メディア通信機能４１は、メディアＩ／Ｏ４４を介して音声、映像等のメディアの通信を行なう。例えばＩＰ電話端末ＥＰ１において、ユーザが発信操作を行なったとする。そうすると、メディア通信機能４１は、例えばＳＩＰで規定されるＩＮＶＩＴＥメッセージを登録先のＩＰ電話サーバＳＶ１に送信する。なお、ＩＮＶＩＴＥメッセージには、例えば、Ｇ７１１（音声）、Ｇ７２９ａ（音声）、Ｇ７２２（音声）、Ｈ２６４（映像）といったコーデック情報が含まれる。ＩＰ電話サーバＳＶ１から着信側となるＩＰ電話端末ＥＰ４よりＨ２６４（映像）を含めた応答メッセージが返送され、ＩＰ電話端末ＥＰ４との間でＨ２６４を使用したセッションが確立されると、セッションを介してＩＰ電話端末ＥＰ４との間で映像を含むＲＴＰパケットの通信を実行する。
【００３９】
プレゼンス通知機能４２は、プレゼンス状態を一定周期で、プレゼンスサーバ２に通知する。ここで、ＳＩＰの場合、登録先のＩＰ電話サーバＳＶ１に対し一定周期でＲＥＧＩＳＴＥＲメッセージを送信する。このＲＥＧＩＳＴＥＲメッセージの送信に対しＩＰ電話サーバＳＶ１からＡＣＫを受信し、しかる後にＩＰ電話サーバＳＶ１からプレゼンス状態を問い合わせるためのＯＰＴＩＯＮを受信する。プレゼンス通知機能４２は、ＯＰＴＩＯＮに対する応答メッセージ（ＮＯＴＩＣＥ）中のＳＤＰにプレゼンス状態を示す情報を挿入してＩＰ電話サーバＳＶ１に送信する。
【００４０】
動作モード変更機能４３は、登録代理サーバ１からのモード変更指示に応じて通常モード／省電力モードの変更を行う。
【００４１】
次に、以上のように構成されたシステムの動作について説明する。  
例えばＩＰ電話サーバＳＶ１で処理を集中させるためには、各ＩＰ電話端末ＥＰ１〜ＥＰＭの登録先をシステム側が所望するＩＰ電話サーバＳＶ１に選択できる機能が必要になる。一般のＩＰ電話のプロトコルでは、登録先は端末側の設定に基づいて行うのが一般的であるが、本実施形態では、それをシステム側の意図で登録先を決定できるように、システムの運用状態をプレゼンスの仕組みを使って把握し、その状態に応じて、登録先を変更する仕組みを持った登録代理サーバ１を用意することで実現した。
【００４２】
登録代理サーバ１の登録の振り分けに必要となるデータの例が、端末登録状態管理テーブル１６、サーバ状態管理テーブル１７、サーバコンフィグ情報テーブル１８及びサーバコンフィグ設定データテーブル１９である。このうち、端末登録状態管理テーブル１６、サーバ状態管理テーブル１７、サーバコンフィグ情報テーブル１８の更新は、プレゼンスサーバ２からの状態変更の通知と、ＩＰ電話端末の登録時に登録メッセージを仲介する際に行われる。
【００４３】
ＩＰ電話端末ＥＰ１〜ＥＰＭから登録要求のメッセージを受信した際に、登録代理サーバ１はこれら端末登録状態管理テーブル１６、サーバ状態管理テーブル１７、サーバコンフィグ情報テーブル１８及びサーバコンフィグ設定データテーブル１９の情報を参照し、優先順位が最小の「１」で通常モードで動作している例えばＩＰ電話サーバＳＶ３を選択しメッセージを転送する。
【００４４】
（ＩＰ電話サーバの状態管理）  
ここでは、ＩＰ電話サーバＳＶ１を「通常モード」から「省電力モード」に変更される場合の動作を説明する。
【００４５】
登録代理サーバ１は、サーバ状態管理テーブル１７を参照して、端末登録数、ＳＴＢ端末登録数、呼量、パケット送受信量のうちいずれか１つが予め決められた値より下回った場合、ＩＰ電話サーバＳＶ１に対し省電力モードに変更させる要求を送信し、プレゼンスサーバ２に対し状態変更の旨のメッセージを通知する。このメッセージには、ＩＰ電話サーバＳＶ１を示す情報と「通常モード」から「省電力モード」に変更した情報が含まれる。
【００４６】
プレゼンスサーバ２では、ＩＰ電話サーバＳＶ１の状態が通知されたときに、自身の管理情報を更新し、登録代理サーバ１に対してＩＰ電話サーバＳＶ１の状態変更通知を行う。
【００４７】
ＩＰ電話サーバＳＶ１の状態変更通知を受信した登録代理サーバ１は、サーバ状態管理テーブル１７の登録内容の更新を行う。このようにすることによってＩＰ電話システムのＩＰ電話サーバＳＶ１〜ＳＶＮの状態管理を登録代理サーバ１で行うことが可能となる。
【００４８】
（端末登録信号の分配方式）  
図８は、ＩＰ電話端末ＥＰ１とＩＰ電話サーバＳＶ１との間で登録処理を行う動作を示すシーケンス図である。
【００４９】
ＩＰ電話サーバＳＶ１〜ＳＶＮに対しＩＰ電話端末ＥＰ１の登録を行う際に、ＩＰ電話端末ＥＰ１のユーザは登録代理サーバ１を指定した発信操作を行なう。すると、ＩＰ電話端末ＥＰ１は、登録代理サーバ１宛ての登録要求を生成してこの要求をＩＰネットワークＩＮＷへ送信し（図８（１））、着信先の登録代理サーバ１を呼び出す。そして、この呼び出しに対し登録代理サーバ１が着信応答すると、ＩＰ電話端末ＥＰ１と登録代理サーバ１との間に通信リンクが形成される。
【００５０】
そして、登録代理サーバ１は、図９に示す制御処理手順を実行する。
【００５１】
まず、登録代理サーバ１は、サーバコンフィグ情報テーブル１８を参照して優先順位が最小のＩＰ電話サーバの選定を行う。ここでは、優先順位「１」に対応するＩＰ電話サーバＳＶ１を選択する。そして、サーバ状態管理テーブル１７を参照して（ステップＳＴ９ｃ）、ＩＰ電話サーバＳＶ１に対応する動作モードが「通常モード」であるか否かの判断を行う（ステップＳＴ９ｄ）。
【００５２】
ここでは、ＩＰ電話サーバＳＶ１に対応する動作モードが「通常モード」であるので（Ｙｅｓ）、登録代理サーバ１はステップＳＴ９ｅに移行してここで選択したＩＰ電話サーバＳＶ１に端末側の情報(ＵＲＩ／ＤＮ／アドレス／ポートなど)を含む登録要求を通知する（図８（２））。
【００５３】
この登録要求の通知に対しＩＰ電話サーバＳＶ１が応答すると（図８（３））、ＩＰ電話サーバＳＶ１とＩＰ電話端末ＥＰ１との間にセッションが確立される。そして、ＩＰ電話端末ＥＰ１のＵＲＩ等がＩＰ電話サーバＳＶ１の登録情報管理テーブル３７に登録される（図８（４））。
【００５４】
以後、登録代理サーバ１は、ＩＰ電話サーバＳＶ１とＩＰ電話端末ＥＰ１とを対応付けた情報を端末登録状況管理テーブル１６に登録する（ステップＳＴ９ｆ）。
【００５５】
一方、上記ステップＳＴ９ｄにおいて、ＩＰ電話サーバＳＶ１に対応する動作モードが「省電力モード」になっていた場合（Ｎｏ）、登録代理サーバ１はサーバコンフィグ情報テーブル１８中に登録されている他のＩＰ電話サーバがあるか否かの判断を行う（ステップＳＴ９ｇ）。ここで、他のＩＰ電話サーバがある場合（Ｙｅｓ）、登録代理サーバ１は優先順位を「１」から「２」にインクリメントする（ステップＳＴ９ｈ）。そして、優先順位「２」に対応するＩＰ電話サーバＳＶ２についてサーバ状態管理テーブル１７から動作モードを取得して、動作モードが「通常モード」であるか否かの判断を行う。つまり、サーバ状態管理テーブル１７及びサーバコンフィグ情報テーブル１８中に登録されている全ＩＰ電話サーバＳＶ２〜ＳＶＮに対し上記ステップＳＴ９ｃ及びステップＳＴ９ｄの処理を繰り返し実行する。
【００５６】
一方、チェックしていないＩＰ電話サーバがない場合（Ｎｏ）、登録代理サーバ１はＩＰ電話端末ＥＰ１に対し登録エラー信号を送信する（ステップＳＴ９ｉ）。
【００５７】
（ＩＰ電話サーバの省電力モード移行の方式）  
本実施形態の目的はシステムの省電力化であるので、プレゼンスサーバ２で管理する情報として、端末、サーバの動作モードを追加した。状態が変更なった場合には、変更になった機器からプレゼンスサーバ２に通知され、状態の変更は、変更の通知をプレゼンスサーバ２に依頼している各機器に通知される。
【００５８】
図１０は、ＩＰ電話端末ＥＰ２とＩＰ電話サーバＳＶ２との間で登録先変更処理を行う動作を示すシーケンス図である。図１１は、登録先変更処理を行う際における登録代理サーバ１の省電力モード移行制御手順を示すフローチャートである。
【００５９】
登録代理サーバ１は、プレゼンスサーバ２から送信される情報に基づいて、各機器の動作状態の把握し、サーバ状態管理テーブル１７、サーバコンフィグ情報テーブル１８及びサーバコンフィグ情報テーブル１８に基づいて、ＩＰ電話端末ＥＰ１〜ＥＰＭの登録先を集中・分散する。把握しているシステム全体の稼動状態から、稼動させる必要のなくなったＩＰ電話サーバＳＶ２を意図的に省電力モードに変更することで、システム全体の省電力化を図る。
【００６０】
すなわち、登録代理サーバ１は、プレゼンスサーバ２からＩＰ電話サーバＳＶ１〜ＳＶＮの状態の変更信号を受信すると（ステップＳＴ１１ａ）、サーバ状態管理テーブル１７を参照し（ステップＳＴ１１ｂ）、サーバ状態管理テーブル１７に登録されているＩＰ電話端末ＥＰ１〜ＥＰＭの台数が例えば「５」以内であるか否かをチェックする（ステップＳＴ１１ｃ）。ここで、例えばＩＰ電話サーバＳＶ２の登録端末数が４となった場合に、ＩＰ電話サーバＳＶ２を省電力モードに変更することを決定し（図１０（１））、ステップＳＴ１１ｄに移行してここでＩＰ電話サーバＳＶ２に対し省電力モードにすべく状態変更要求を送信する（図１０（２））。
【００６１】
そして、ＩＰ電話サーバＳＶ２は、通常モードから省電力モードに変更すると（図１０（３））、この状態変更をプレゼンスサーバ２に通知する（図１０（４））。
【００６２】
プレゼンスサーバ２は、状態変更通知を受信すると、登録代理サーバ１に対し状態変更を通知する（図１０（５））。
【００６３】
登録代理サーバ１は、ＩＰ電話サーバＳＶ２に登録されているＩＰ電話端末ＥＰ２に対し再登録要求を通知する（図１０（６））。
【００６４】
登録代理サーバ１からの再登録要求の通知に対しＩＰ電話端末ＥＰ２の登録を行う際に、ＩＰ電話端末ＥＰ２のユーザは登録代理サーバ１を指定した発信操作を行なう。すると、ＩＰ電話端末ＥＰ１は、登録代理サーバ１宛ての登録要求を生成してこの要求をＩＰネットワークＩＮＷへ送信する（図１０（７））。
【００６５】
そして、登録代理サーバ１は登録要求を受信すると、ＩＰ電話端末ＥＰ１と登録代理サーバ１との間に通信リンクを形成する。
【００６６】
登録代理サーバ１は、サーバ状態管理テーブル１７及びサーバコンフィグ情報テーブル１８を参照し、この参照結果に基づいて、ＩＰ電話サーバＳＶ１を選択し、このＩＰ電話サーバＳＶ１に端末側の情報(ＵＲＩ／ＤＮ／アドレス／ポートなど)を含む登録要求を通知する（図１０（８））。
【００６７】
この登録要求の通知に対しＩＰ電話サーバＳＶ１が応答すると（図１０（９））、ＩＰ電話サーバＳＶ１とＩＰ電話端末ＥＰ２との間にセッションが確立され、ＩＰ電話端末ＥＰ２のＵＲＩ等がＩＰ電話サーバＳＶ１の登録情報管理テーブル３７に登録される（図１０（１０））。
【００６８】
以後、登録代理サーバ１は、ＩＰ電話サーバＳＶ１とＩＰ電話端末ＥＰ２とを対応付けた情報を端末登録状況管理テーブル１６に登録し、サーバ状態管理テーブル１７の登録内容の更新を行う。この場合、サーバ状態管理テーブル１７のＩＰ電話サーバＳＶ２に対応する動作モードを「通常モード」から「省電力モード」に更新し、登録端末数、ＳＴＢ登録端末数、呼量及びパケット送受信量を更新する。
【００６９】
また、上記ステップＳＴ１１ｃにおいて、例えばＩＰ電話サーバＳＶ２の登録端末数が５であった場合に、登録代理サーバ１はＳＴＢ端末の登録数が例えば「２」以内であるか否かをチェックする（ステップＳＴ１１ｅ）。ここで、例えばＩＰ電話サーバＳＶ２のＳＴＢ端末登録数が１となった場合に、ＩＰ電話サーバＳＶ２を省電力モードに変更することを決定し、ステップＳＴ１１ｄに移行してここでＩＰ電話サーバＳＶ２に対し省電力モードにすべく状態変更要求を送信する。
【００７０】
また、上記ステップＳＴ１１ｅにおいて、例えばＩＰ電話サーバＳＶ２のＳＴＢ登録端末数が「２」であった場合に、登録代理サーバ１はサーバ状態管理テーブル１７に登録されているＩＰ電話サーバＳＶ２の呼量が「２」以内であるか否かをチェックする（ステップＳＴ１１ｆ）。ここで、例えばＩＰ電話サーバＳＶ２の呼量が「１」となった場合に、ＩＰ電話サーバＳＶ２を省電力モードに変更することを決定し、ステップＳＴ１１ｄに移行してここでＩＰ電話サーバＳＶ２に対し省電力モードにすべく状態変更要求を送信する。
【００７１】
さらに、上記ステップＳＴ１１ｆにおいて、例えばＩＰ電話サーバＳＶ２の呼量が「２」以内である場合、登録代理サーバ１はサーバ状態管理テーブル１７に登録されているＩＰ電話サーバＳＶ２のパケット送受信量が「５００」以内であるか否かをチェックする（ステップＳＴ１１ｇ）。ここで、例えばＩＰ電話サーバＳＶ２のパケット送受信量が「４００」であった場合、ＩＰ電話サーバＳＶ２を省電力モードに変更することを決定し、ステップＳＴ１１ｄに移行してここでＩＰ電話サーバＳＶ２に対し省電力モードにすべく状態変更要求を送信する。
【００７２】
一方、上記ステップＳＴ１１ｇにおいて、例えばＩＰ電話サーバＳＶ２のパケット送受信量が「５００」以内である場合、登録代理サーバ１は処理をそのまま終了する。
【００７３】
なお、上記処理は、サーバ状態管理テーブル１７及びサーバコンフィグ情報テーブル１８に登録されている全てのＩＰ電話サーバＳＶ１〜ＳＶＮに対し繰り返し実行される。
【００７４】
以上のように上記第１の実施形態では、登録代理サーバ１において、サーバ状態管理テーブル１７、サーバコンフィグ情報テーブル１８及びサーバコンフィグ設定データテーブル１９を参照し、サーバ状態管理テーブル１７及びサーバコンフィグ情報テーブル１８の登録項目となるＩＰ電話サーバＳＶ１〜ＳＶＮへの端末登録数、ＳＴＢ端末登録数、ＩＰ電話サーバＳＶ１〜ＳＶＮの呼量、パケット送受信量をチェックすることで、省電力モードに変更するべくＩＰ電話サーバＳＶ１〜ＳＶＮを効率良く決定することができる。
【００７５】
これにより、システムがあまり使用されていない場合には、システムの意図で動作不要なＩＰ電話サーバＳＶ２を作ることができ、このＩＰ電話サーバＳＶ２を省電力モードに変更することで、システム全体の消費電力を低減できる。
【００７６】
また、上記第１の実施形態では、登録代理サーバ１において、端末の稼働状態を監視できるように拡張したプレゼンスサーバ２を連携させることで、端末の登録状況、サーバの接続状況、端末の動作状況が容易に把握可能となり、これら情報に基づいて、システムがあまり使用されていない場合には、システムの意図で動作不要なＩＰ電話サーバＳＶ２を作ることができ、このＩＰ電話サーバＳＶ２を省電力モードに変更することで、システム全体の消費電力を低減できる。
【００７７】
また、システム側の設定でＩＰ電話端末の登録先を集中することが可能であるため、集中的に保守したい場合、例えば、システム中のＩＰ電話端末ＥＰ１〜ＥＰＭ全てのファームウェアをアップデートしたい場合などの保守を容易にできる。
【００７８】
（第２の実施形態）  
第２の実施形態は、上記第１の実施形態で省電力モードに変更されたＩＰ電話サーバを再び通常モードに戻すようにしたものである。第２の実施形態は、サーバ状態管理テーブル１７中の全てのＩＰ電話サーバＳＶ１〜ＳＶＮが省電力モードになることを防ぐことができる。
【００７９】
図１２は、本発明の第２の実施形態として、ＩＰ電話端末ＥＰ２とＩＰ電話サーバＳＶ１，ＳＶ２との間で登録先変更処理を行う動作を示すシーケンス図である。図１３は、登録先変更処理を行う際における登録代理サーバ１の通常モード移行制御手順を示すフローチャートである。
【００８０】
プレゼンスサーバ２において、省電力モードに変更されたＩＰ電話サーバＳＶ２を通常モードに戻す変更信号を登録代理サーバ１に送信する（図１２（０１））。通常モードに戻すタイミングとしては、「予め通常モード変更開始時刻を設定しておく」、「省電力モードに変更されたＩＰ電話サーバの待機時間をカウントしておき、一定時間に達したＩＰ電話サーバに対して通常モード変更要求を送信する」などが考えられる。
【００８１】
ここで、予め通常モード変更開始時刻を設定しておく方法としては、例えばシステムの再稼働時となる昼の１３：００に設定しておくようにする。また、省電力モードに変更されたＩＰ電話サーバの待機時間をカウントする方法としては、例えばＩＰ電話サーバが省電力モードに移行してから２時間経過した後で、ＩＰ電話サーバに対して通常モード変更要求を送信する。
【００８２】
登録代理サーバ１は、プレゼンスサーバ２からＩＰ電話サーバＳＶ１〜ＳＶＮの状態の変更信号を受信すると（ステップＳＴ１３ａ）、サーバ状態管理テーブル１７を参照する（ステップＳＴ１３ｂ）。そして、サーバ状態管理テーブル１７に登録されているＩＰ電話端末ＥＰ１〜ＥＰＭの台数が例えば「３」を超えるか否かの判断を行う（ステップＳＴ１３ｃ）。ここで、登録台数が「２」の場合、登録代理サーバ１はＳＴＢ端末の登録数が例えば「２」を超えるか否かの判断を行う（ステップＳＴ１３ｄ）。
【００８３】
ここで登録台数が「１」である場合、登録代理サーバ１は呼量が「１」を超えるか否かの判断を行う（ステップＳＴ１３ｅ）。ここで呼量が「０」である場合、登録代理サーバ１はパケット送受信量が「２００」を超えるか否かの判断を行う（ステップＳＴ１３ｆ）。ここでパケット送受信量が「１００」である場合、登録代理サーバ１はＩＰ電話サーバＳＶ１〜ＳＶＮの省電力モードの状態をそのまま維持させる。
【００８４】
一方、上記ステップＳＴ１３ｃにおいて、例えばＩＰ電話サーバＳＶ２に対するＩＰ電話端末ＥＰ１〜ＥＰＭの登録台数が例えば「４」である場合、登録代理サーバ１はステップＳＴ１３ｇに移行してＩＰ電話サーバＳＶ２を通常モードに変更することを決定し（図１２（１））、ステップＳＴ１３ｈに移行してここでＩＰ電話サーバＳＶ２に対し通常モードにするべく状態変更要求を送信する（図１２（２））。
【００８５】
また、上記ステップＳＴ１３ｄにおいて、例えばＩＰ電話サーバＳＶ３に対するＳＴＢ端末の登録数が例えば「３」である場合、登録代理サーバ１はＩＰ電話サーバＳＶ３を通常モードに変更することを決定し、ＩＰ電話サーバＳＶ３に対し通常モードにすべく状態変更要求を送信する。
【００８６】
さらに、上記ステップＳＴ１３ｅにおいて、例えばＩＰ電話サーバＳＶ４の呼量が「２」である場合、登録代理サーバ１はＩＰ電話サーバＳＶ４を通常モードに変更することを決定し、ＩＰ電話サーバＳＶ４に対し通常モードにすべく状態変更要求を送信する。
【００８７】
また、上記ステップＳＴ１３ｆにおいて、例えばＩＰ電話サーバＳＶ５のパケット送受信量が「３００」である場合、登録代理サーバ１はＩＰ電話サーバＳＶ５を通常モードに変更することを決定し、ＩＰ電話サーバＳＶ５に対し通常モードにすべく状態変更要求を送信する。
【００８８】
なお、上記ＩＰ電話端末ＥＰ１〜ＥＰＭの登録台数は、ＩＰ電話サーバＳＶ２が省電力モードに移行するときに、他のＩＰ電話サーバへの再登録が行われていない登録台数などが考えられる。ＳＴＢ端末の登録台数についても、上記ＩＰ電話端末ＥＰ１〜ＥＰＭの登録台数と同様である。また、呼量及びパケット送受信量のしきい値については、保守者により設定される値とする。
【００８９】
そして、ＩＰ電話サーバＳＶ２は、省電力モードから通常モードに変更すると（図１２（３））、この状態変更をプレゼンスサーバ２に通知する（図１２（４））。
【００９０】
プレゼンスサーバ２は、状態変更通知を受信すると、登録代理サーバ１に対し状態変更を通知する（図１２（５））。
【００９１】
登録代理サーバ１は、ＩＰ電話サーバＳＶ１に登録されているＩＰ電話端末ＥＰ２に対し再登録要求を通知する（図１２（６））。
【００９２】
登録代理サーバ１からの再登録要求の通知に対しＩＰ電話端末ＥＰ２の登録を行う際に、ＩＰ電話端末ＥＰ２のユーザは登録代理サーバ１を指定した発信操作を行なう。すると、ＩＰ電話端末ＥＰ１は、登録代理サーバ１宛ての登録要求を生成してこの要求をＩＰネットワークＩＮＷへ送信する（図１２（７））。
【００９３】
そして、登録代理サーバ１は登録要求を受信すると、ＩＰ電話端末ＥＰ１と登録代理サーバ１との間に通信リンクを形成する。
【００９４】
登録代理サーバ１は、ＩＰ電話サーバＳＶ２に端末側の情報(ＵＲＩ／ＤＮ／アドレス／ポートなど)を含む登録要求を通知する（図１２（８））。
【００９５】
この登録要求の通知に対しＩＰ電話サーバＳＶ２が応答すると（図１２（９））、ＩＰ電話サーバＳＶ２とＩＰ電話端末ＥＰ２との間にセッションが確立され、ＩＰ電話端末ＥＰ２のＵＲＩ等がＩＰ電話サーバＳＶ２の登録情報管理テーブル３７に登録される（図１２（１０））。
【００９６】
以後、登録代理サーバ１は、ＩＰ電話サーバＳＶ２とＩＰ電話端末ＥＰ２とを対応付けた情報を端末登録状況管理テーブル１６に登録し、サーバ状態管理テーブル１７の登録内容の更新を行う。この場合、サーバ状態管理テーブル１７のＩＰ電話サーバＳＶ２に対応する動作モードを「省電力モード」から「通常モード」に更新し、必要に応じて登録端末数、ＳＴＢ登録端末数、呼量及びパケット送受信量を更新する。
【００９７】
以上のように上記第２の実施形態であれば、省電力モードに移行したＩＰ電話サーバＳＶ２が長期間そのまま省電力モードの状態となることを防止でき、これによりシステム全体として消費電力を抑えた上で効率良く運用できる。
【００９８】
（その他の実施形態）  
例えば、上記各実施形態では、複数のＩＰ電話サーバがネットワーク上で分散している構成を例としてあげているが、例えば複数のＩＰ電話サーバのうち代表となる１つのＩＰ電話サーバに複数のＩＰ電話サーバが接続される形態も考えられる。また、登録先切り替えの判断を、省電力モードだけでなく、通常のプレゼンス状態と合わせて行うことも考えられる。例えば、通常モードのＩＰ電話サーバに対するＩＰ電話端末の登録数が所定数を超えた場合に、他の通常モードのＩＰ電話サーバへの登録先を変更することが考えられる。また、通常モードのＩＰ電話サーバに動作異常が発生した場合に、他の通常モードのＩＰ電話サーバへの登録先を変更することも考えられる。
【００９９】
さらに、登録代理サーバ機能を独立したデバイス上で動作させている構成となっているが、ＩＰ電話サーバなどの別サーバと同じデバイス上で動作する構成も考えられる。
【０１００】
また、上記各実施形態において、登録代理サーバは、各サーバの端末登録数や呼量などを参照にして、モード移行の信号を送出する方法のほかに、各サーバの消費電力をチェックし、システムとしての消費電力が最小になるような判断を行いモード移行の信号を送出してもよい。
【０１０１】
その他、通信システムの構成、登録代理サーバの機能構成、動作モードの変更手順、ＩＰ電話端末の登録先の変更手順等についても、要旨を逸脱しない範囲で種々変形して実施できる。
【符号の説明】
【０１０２】
１…登録代理サーバ、２…プレゼンスサーバ、１１…登録メッセージ解析機能、１２…プレゼンス情報監視機能、１３…登録状況管理機能、１４…サーバ動作モード制御機能、１５…登録先選択／変更機能、１６…端末登録状況管理テーブル、１７…サーバ状態管理テーブル、１８…サーバコンフィグ情報テーブル、１９…サーバコンフィグ設定データテーブル、２１…プレゼンス情報管理機能、２２…状態変更通知機能、２３…状態変更機能、２４…状態管理テーブル、３１…プロトコル制御機能、３２…登録機能、３３…セッション制御機能、３４…呼制御機能、３５…場所情報管理機能、３６…動作モード変更機能、３７…登録情報管理テーブル、３８…場所情報管理テーブル、４１…メディア通信機能、４２…プレゼンス通知機能、４３…動作モード変更機能、４４…メディアＩ／Ｏ、ＳＶ１〜ＳＶＮ…ＩＰ電話サーバ、ＥＰ１〜ＥＰＭ…ＩＰ電話端末、ＩＮＷ…ＩＰネットワーク。
【図１】
2011234309.tif 000003
【図２】
2011234309.tif 000004
【図３】
2011234309.tif 000005
【図４】
2011234309.tif 000006
【図５】
2011234309.tif 000007
【図６】
2011234309.tif 000008
【図７】
2011234309.tif 000009
【図８】
2011234309.tif 000010
【図９】
2011234309.tif 000011
【図１０】
2011234309.tif 000012
【図１１】
2011234309.tif 000013
【図１２】
2011234309.tif 000014
【図１３】
2011234309.tif 000015
【手続補正書】
【提出日】平成23年5月11日(2011.5.11)
【手続補正１】
【補正対象書類名】特許請求の範囲
【補正対象項目名】全文
【補正方法】変更
【補正の内容】
【特許請求の範囲】
【請求項１】
複数のＩＰ(Internet Protocol)電話端末と、通常モードまたは電力モードを有する複数のＩＰ電話サーバとに接続される登録管理サーバ装置であって、
前記複数のＩＰ電話端末及び複数のＩＰ電話サーバそれぞれの動作状態を監視する監視手段と、
前記ＩＰ電話端末のいずれかから登録要求が送信された場合に、前記監視手段の監視結果に基づいて登録するＩＰ電話サーバを決定し、当該ＩＰ電話サーバに、登録要求を送信してきたＩＰ電話端末を登録させる登録制御手段と、
前記監視手段による監視結果に基づいて、前記複数のＩＰ電話サーバのうちの少なくとも一部のＩＰ電話サーバの動作モードを変更する変更制御手段とを具備する登録管理サーバ装置。
【請求項２】
前記変更制御手段は、複数のＩＰ電話端末が登録される第１のＩＰ電話サーバを省電力モードに変更する場合に、前記登録制御手段により前記第１のＩＰ電話サーバに登録された複数のＩＰ電話端末に対し変更の通知を行い、この通知に対し登録要求操作がなされたＩＰ電話端末の登録先を前記第１のＩＰ電話サーバから当該第１のＩＰ電話サーバとは異なる第２のＩＰ電話サーバへ動的に変更し、空きとなった第１のＩＰ電話サーバを通常モードから省電力モードへ動的に変更する請求項１記載の登録管理サーバ装置。
【請求項３】
前記監視手段は、前記ＩＰ電話サーバに登録されたＩＰ電話端末の登録数、省電力モードのＩＰ電話端末の数、前記ＩＰ電話サーバの呼量、前記ＩＰ電話サーバのパケット処理量、前記ＩＰ電話サーバの消費電力量の少なくとも１つを監視する請求項１記載の登録管理サーバ装置。
【請求項４】
さらに、前記ＩＰ電話サーバを識別するサーバ識別情報と、現在の動作モードと、前記ＩＰ電話サーバに登録されたＩＰ電話端末の登録数と、前記ＩＰ電話サーバの呼量と、前記ＩＰ電話サーバのパケット処理量と、前記ＩＰ電話サーバの消費電力量とを対応付けた管理テーブルを記憶する記憶手段を備え、
前記監視手段は、前記管理テーブルを参照し、この参照結果に基づいて、前記複数のＩＰ電話端末及び複数のＩＰ電話サーバそれぞれの動作状態を監視し、
前記変更制御手段は、前記ＩＰ電話端末の登録先を前記第１のＩＰ電話サーバから前記第２のＩＰ電話サーバへ動的に変更し、空きとなった第１のＩＰ電話サーバを通常モードから省電力モードへ動的に変更した後、前記管理テーブルの記憶内容を更新する請求項３記載の登録管理サーバ装置。
【請求項５】
前記登録制御手段は、前記ＩＰ電話端末にて登録要求操作がなされた場合に、前記記憶手段に記憶された管理テーブルを参照し、この参照結果に基づいて、登録する任意の第１のＩＰ電話サーバを決定して登録を行わせる請求項４記載の登録管理サーバ装置。
【請求項６】
前記監視手段は、前記ＩＰ電話端末及び前記ＩＰ電話サーバの状態の公開、更新、通知が可能な状態管理サーバと接続するためのインタフェースを備え、
前記変更制御手段は、前記インタフェースを通じて前記状態管理サーバとの間で通信される情報に基づいて、前記第１のＩＰ電話サーバを省電力モードに変更する場合に、前記登録制御手段により前記第１のＩＰ電話サーバに登録された複数のＩＰ電話端末に対し変更の通知を行い、この通知に対し登録要求操作がなされたＩＰ電話端末の登録先を前記第１のＩＰ電話サーバから当該第１のＩＰ電話サーバとは異なる第２のＩＰ電話サーバへ動的に変更し、空きとなった第１のＩＰ電話サーバを通常モードから省電力モードへ動的に変更する請求項２記載の登録管理サーバ装置。
【請求項７】
前記変更制御手段は、前記監視手段による監視結果に基づいて、省電力モードに変更された第１のＩＰ電話サーバを通常モードに変更するとともに、前記第２のＩＰ電話サーバに登録された複数のＩＰ電話端末に対し変更の通知を行い、この通知に対し登録要求操作がなされたＩＰ電話端末の登録先を前記第２のＩＰ電話サーバから第１のＩＰ電話サーバへ動的に変更する請求項２記載の登録管理サーバ装置。
【請求項８】
複数のＩＰ(Internet Protocol)電話端末を登録し、通常モードと省電力モードを有する複数のＩＰ電話サーバと、
これら複数のＩＰ電話サーバに対し通信ネットワークを介して接続される登録管理サーバ装置とを具備する通信システムであって、
前記登録管理サーバ装置は、
前記複数のＩＰ電話端末及び複数のＩＰ電話サーバそれぞれの動作状態を監視する監視手段と、
前記ＩＰ電話端末のいずれかから登録要求が送信された場合に、前記監視手段の監視結果に基づいて登録するＩＰ電話サーバを決定し、当該ＩＰ電話サーバに、登録要求を送信してきたＩＰ電話端末を登録させる登録制御手段と、
前記監視手段による監視結果に基づいて、前記複数のＩＰ電話サーバのうちの少なくとも一部のＩＰ電話サーバの動作モードを変更する変更制御手段とを備える通信システム。
【請求項９】
前記変更制御手段は、複数のＩＰ電話端末が登録される第１のＩＰ電話サーバを省電力モードに変更する場合に、前記登録制御手段により前記第１のＩＰ電話サーバに登録された複数のＩＰ電話端末に対し変更の通知を行い、この通知に対し登録要求操作がなされたＩＰ電話端末の登録先を前記第１のＩＰ電話サーバから当該第１のＩＰ電話サーバとは異なる第２のＩＰ電話サーバへ動的に変更し、空きとなった第１のＩＰ電話サーバを通常モードから省電力モードへ動的に変更する請求項８記載の通信システム。
【請求項１０】
前記監視手段は、前記ＩＰ電話サーバに登録されたＩＰ電話端末の登録数、省電力モードのＩＰ電話端末の数、前記ＩＰ電話サーバの呼量、前記ＩＰ電話サーバのパケット処理量、前記ＩＰ電話サーバの消費電力量の少なくとも１つを監視する請求項８記載の通信システム。
【請求項１１】
さらに、前記ＩＰ電話サーバを識別するサーバ識別情報と、現在の動作モードと、前記ＩＰ電話サーバに登録されたＩＰ電話端末の登録数と、前記ＩＰ電話サーバの呼量と、前記ＩＰ電話サーバのパケット処理量と、前記ＩＰ電話サーバの消費電力量とを対応付けた管理テーブルを記憶する記憶手段を備え、
前記監視手段は、前記管理テーブルを参照し、この参照結果に基づいて、前記複数のＩＰ電話端末及び複数のＩＰ電話サーバそれぞれの動作状態を監視し、
前記変更制御手段は、前記ＩＰ電話端末の登録先を前記第１のＩＰ電話サーバから前記第２のＩＰ電話サーバへ動的に変更し、空きとなった第１のＩＰ電話サーバを通常モードから省電力モードへ動的に変更した後、前記管理テーブルの記憶内容を更新する請求項１０記載の通信システム。
【請求項１２】
前記登録制御手段は、前記ＩＰ電話端末にて登録要求操作がなされた場合に、前記記憶手段に記憶された管理テーブルを参照し、この参照結果に基づいて、登録する任意の第１のＩＰ電話サーバを決定して登録を行わせる請求項１１記載の通信システム。
【請求項１３】
前記変更制御手段は、前記監視手段による監視結果に基づいて、省電力モードに変更された第１のＩＰ電話サーバを通常モードに変更するとともに、前記第２のＩＰ電話サーバに登録された複数のＩＰ電話端末に対し変更の通知を行い、この通知に対し登録要求操作がなされたＩＰ電話端末の登録先を前記第２のＩＰ電話サーバから第１のＩＰ電話サーバへ動的に変更する請求項９記載の通信システム。
【請求項１４】
複数のＩＰ(Internet Protocol)電話端末が登録されかつ通常モードと省電力モードを有する複数のＩＰ電話サーバを接続する登録管理サーバ装置で使用される動作モード変更方法において、
前記複数のＩＰ電話端末及び複数のＩＰ電話サーバそれぞれの動作状態を監視し、
前記ＩＰ電話端末のいずれかから登録要求が送信された場合に、監視している前記ＩＰ電話サーバの状態に基づいて登録するＩＰ電話サーバを決定し、当該ＩＰ電話サーバに、登録要求を送信してきたＩＰ電話端末を登録させ、
前記監視結果に基づいて、前記第１のＩＰ電話サーバを省電力モードに変更する場合に、前記登録制御手段により前記第１のＩＰ電話サーバに登録された複数のＩＰ電話端末に対し変更の通知を行い、この通知に対し登録要求操作がなされたＩＰ電話端末の登録先を前記第１のＩＰ電話サーバから当該第１のＩＰ電話サーバとは異なる第２のＩＰ電話サーバへ動的に変更し、
空きとなった第１のＩＰ電話サーバを通常モードから省電力モードへ動的に変更する動作モード変更方法。
【請求項１５】
前記監視することは、前記ＩＰ電話サーバに登録されたＩＰ電話端末の登録数、省電力モードのＩＰ電話端末の数、前記ＩＰ電話サーバの呼量、前記ＩＰ電話サーバのパケット処理量、前記ＩＰ電話サーバの消費電力量の少なくとも１つを監視する請求項１４記載の動作モード変更方法。
【請求項１６】
さらに、前記ＩＰ電話サーバを識別するサーバ識別情報と、現在の動作モードと、前記ＩＰ電話サーバに登録されたＩＰ電話端末の登録数と、前記ＩＰ電話サーバの呼量と、前記ＩＰ電話サーバのパケット処理量と、前記ＩＰ電話サーバの消費電力量とを対応付けた管理テーブルを記憶し、
前記監視することは、前記管理テーブルを参照し、この参照結果に基づいて、前記複数のＩＰ電話端末及び複数のＩＰ電話サーバそれぞれの動作状態を監視し、
前記変更することは、前記ＩＰ電話端末の登録先を前記第１のＩＰ電話サーバから前記第２のＩＰ電話サーバへ動的に変更し、空きとなった第１のＩＰ電話サーバを通常モードから省電力モードへ動的に変更した後、前記管理テーブルの記憶内容を更新する請求項１５記載の動作モード変更方法。
【請求項１７】
前記通知することは、前記ＩＰ電話端末にて登録要求操作がなされた場合に、前記管理テーブルを参照し、この参照結果に基づいて、登録する任意の第１のＩＰ電話サーバを決定して登録を行わせる請求項１６記載の動作モード変更方法。
【請求項１８】
前記ＩＰ電話端末及び前記ＩＰ電話サーバの状態の公開、更新、通知が可能な状態管理サーバと接続するためのインタフェースをさらに備え、
前記変更することは、前記インタフェースを通じて前記状態管理サーバとの間で通信される情報に基づいて、前記第１のＩＰ電話サーバを省電力モードに変更する場合に、前記登録制御手段により前記第１のＩＰ電話サーバに登録された複数のＩＰ電話端末に対し変更の通知を行い、この通知に対し登録要求操作がなされたＩＰ電話端末の登録先を前記第１のＩＰ電話サーバから当該第１のＩＰ電話サーバとは異なる第２のＩＰ電話サーバへ動的に変更し、空きとなった第１のＩＰ電話サーバを通常モードから省電力モードへ動的に変更する請求項１４記載の動作モード変更方法。
【請求項１９】
前記変更することは、監視結果に基づいて、省電力モードに変更された第１のＩＰ電話サーバを通常モードに変更するとともに、前記第２のＩＰ電話サーバに登録された複数のＩＰ電話端末に対し変更の通知を行い、この通知に対し登録要求操作がなされたＩＰ電話端末の登録先を前記第２のＩＰ電話サーバから第１のＩＰ電話サーバへ動的に変更する請求項１４記載の動作モード変更方法。